(57)【要約】【課題】ジャンパー線の吊り下げ部分両端を支持する耐張クランプを、鉄塔の横側水平方向に回動させた場合であっても、第一のアークホーントと第二のアークホーンが直線状に向かい合った状態を維持して、両アークホーン間の適正な気中放電ギャップを常時確保することができるアークホーン取付金具の角度調整装置と、アークホーン取付金具の角度調整方法を提供する。【解決手段】本発明に係るアークホーン取付金具の角度調整装置は、鉄塔における碍子の鉄塔側端に第一のアークホーンを有し、また、碍子の他端側に第二のアークホーンを有し、第二のアークホーン側にジャンパー線を支持する耐張クランプを備え、耐張クランプと第二のアークホーンの取付金具との間に、角度調整機構を備えている。また、角度調整機構は、第一のアークホーンと第二のアークホーンが、直線状に向かい合った状態を維持させている。【選択図】図８
2008218257.tif 000002
【特許請求の範囲】
【請求項１】
鉄塔における碍子の鉄塔側端に第一のアークホーンを有し、また、碍子の他端側に第二のアークホーンを有し、第二のアークホーン側にジャンパー線を支持する耐張クランプを備え、耐張クランプと第二のアークホーンの取付金具との間に、角度調整機構を備えたことを特徴とするアークホーン取付金具の角度調整装置。
【請求項２】
第一のアークホーンと第二のアークホーンがそれぞれ碍子の長手方向内側へ延長されて、延長端に所定の気中放電ギャップを形成している請求項１に記載アークホーン取付金具の角度調整装置。
【請求項３】
角度調整機構は、第二のアークホーンの取付金具に対し、耐張クランプ側が任意の回動位置で固定可能である請求項１または２に記載のアークホーン取付金具の角度調整装置。
【請求項４】
角度調整機構は、第一のアークホーンと第二のアークホーンが、直線状に向かい合った状態を維持させる請求項１乃至３のいずれかに記載のアークホーン取付金具の角度調整装置。
【請求項５】
角度調整機構は、全体として１８０度の角度調整が可能である請求項１乃至４のいずれかに記載のアークホーン取付金具の角度調整装置。
【請求項６】
角度調整機構は、第二のアークホーンの取付金具側に備え付けられたアークホーン側円板と、第二のアークホーンの耐張クランプ側に備え付けられた耐張クランプ側円板と、両円板を締結固定するボルト・ナットとから成る請求項１乃至５のいずれかに記載のアークホーン取付金具の角度調整装置。
【請求項７】
角度調整機構を構成するアークホーン側円板は、円板の円周に沿って複数のボルト挿通孔を有し、耐張クランプ側円板は、アークホーン側円板のボルト挿通孔に対向して円周に沿った対称位置に、円弧状長孔である一対の自由孔を有している請求項１乃至６のいずれかに記載のアークホーン取付金具の角度調整装置。
【請求項８】
鉄塔と送電線間に張設された状態で送電線を支持する碍子装置を備え、この碍子装置は、碍子の鉄塔側端に第一のアークホーンを有し、また、碍子の他端側に第二のアークホーンを有し、第一のアークホーンと第二のアークホーンがそれぞれ碍子の長手方向内側へ延長されて延長端に所定の気中放電ギャップを形成すると共に、ジャンパー線の吊り下げ部分を支持するように第二のアークホーン側に耐張クランプを備え、第二のアークホーンの取付金具に対し耐張クランプ側が任意の回動位置で固定可能となるよう、耐張クランプと第二のアークホーンの取付金具との間に、角度調整機構を備えたことを特徴とするアークホーン取付金具の角度調整装置。
【請求項９】
鉄塔と送電線間に張設された状態で送電線を支持する一対の碍子装置を備え、一対の碍子装置は、碍子の鉄塔側端に第一のアークホーンを有し、また、碍子の送電線側端に第二のアークホーンを有し、第一のアークホーンと第二のアークホーンがそれぞれ碍子の長手方向内側へ延長されて延長端に所定の気中放電ギャップを形成すると共に、送電線の支持両端部間に形成されるジャンパー線の吊り下げ部分両端を支持するように第二のアークホーン側に耐張クランプを備え、第二のアークホーンの取付金具に対し耐張クランプ側が任意の回動位置で固定可能となるよう、耐張クランプと第二のアークホーンの取付金具との間に、角度調整機構を備えたことを特徴とするアークホーン取付金具の角度調整装置。
【請求項１０】
角度調整機構は、若干湾曲した状態のジャンパー線を耐張クランプを介して地面と並行となるように移動させたとき、第一のアークホーンと第二のアークホーンが、直線状に向かい合った状態を維持することができる請求項9に記載のアークホーン取付金具の角度調整装置。
【請求項１１】
既設の碍子装置の碍子、第二のアークホーンの既設の取付金具、耐張クランプのそれぞれを取り外す工程と、既設の取付金具に替えて、角度調整機構を備えた耐張クランプ側円板とアークホーン側円板を取り付けてボルト・ナットで仮止め状態にする工程と、アークホーン側円板に対し耐張クランプ側円板を回転させて、若干湾曲した状態のジャンパー線が地面と並行となるように耐張クランプ側円板を回動させた後、ボルト・ナットで本締めする工程と、から成ることを特徴としたアークホーン取付金具の角度調整方法。
【請求項１２】
第一のアークホーンと第二のアークホーンは、直線状に向かい合った状態を維持している請求項１1に記載アークホーン取付金具の角度調整方法。
【請求項１３】
角度調整機構は、全体として１８０度の角度調整が可能である請求項１１または１２に記載アークホーン取付金具の角度調整方法。
【発明の詳細な説明】
【技術分野】
【０００１】
本発明は、鉄塔上で送電線を支持する碍子にアークホーンを設けて成る送電線用支持装置において、若干湾曲した状態に配置しているジャンパー線を耐張クランプを介して地面と並行となるように移動させた場合であっても、第一のアークホーントと第二のアークホーンが、直線状に向かい合った状態を維持して、両アークホーン間の適正な気中放電ギャップを常時確保することができる、アークホーン取付金具の角度調整装置と、アークホーン取付金具の角度調整方法に関するものである。
【背景技術】
【０００２】
鉄塔上における送電線においては、図１１に示すように、一対の耐張碍子Ｇによって支持されている送電線の端部同士を結ぶジャンパー線Ｊが、下方に吊り下がった状態となっていることから、例えば、鉄塔上における保守・部品の交換等の作業時においては、このジャンパー線Ｊが作業員に接触して作業の邪魔になることがあった。
【０００３】
また、狭線間鉄塔等においては、ジャンパー線Ｊが下方に吊り下がった状態となっていると、鉄塔装柱上において、送電線との間に充分な絶縁間隔を確保することが困難になっている場合がある。
【０００４】
このため、従来においては、図１２に示すように、ジャンパー線Ｊの吊り下げ部分両端を鉄塔の下方へ支持する耐張クランプＫを、鉄塔の横側水平方向に徐々に回動させ、図１３に示すように、若干湾曲した状態のジャンパー線を地面と並行となるように移動させることで、ジャンパー線Ｊが作業員に接触する事態を回避していた。
【０００５】
また、ジャンパー線を地面と並行となるように移動させることで、鉄塔装柱上において、送電線との間に充分な絶縁間隔を確保していた。
【０００６】
この他、従来においては、例えば、特許文献１に開示されているように、鉄塔上の鉄塔アーム側に送電線を引っ張った状態で支持する一対の耐張碍子を備え、該耐張碍子は、主として碍子Ｇと、碍子Ｇの鉄塔アーム側の端部からその長手方向に沿って延設された第一のアークホーンＨ１と、第一のアークホーンＨ１と相対向するように送電線側の端部からその長手方向に沿って延設された第二のアークホーンＨ２とを備えて構成され（図１１乃至図１３参照）、一対の耐張碍子によって支持されている送電線の端部同士を結ぶジャンパー線Ｊと、鉄塔アームとの間に避雷器を備えている送電線用支持装置が存在する。
【０００７】
また、特許文献２に開示されているように、避雷碍子部と絶縁碍子部とより構成された第１の碍子連及び第２の碍子連のそれぞれ少なくとも一部に、捩じれ防止装置が備えられ、抵抗素子を収容する収容筒部の重量に基づいて避雷碍子に加わる捩じりモーメントが、この捩じれ防止装置により逆回りに加えられる捩じりモーメントにより打ち消されることで、避雷碍子部と絶縁碍子部との接続部に設けられたアークホーンに回動力が加えられないものとなり、アークホーン先端部の位置変動が防止されることで両アークホーン間の気中放電距離を所定値に保持させるものとした避雷碍子装置が存在する。
【０００８】
【特許文献１】特開平５−４１１２６号公報
【特許文献２】特開平７−１４１９４８号公報
【発明の開示】
【発明が解決しようとする課題】
【０００９】
しかしながら、図１１に示す装置において、ジャンパー線Ｊが下方に吊り下がった状態から、図１２に示すように、鉄塔の横側水平方向に徐々に回動させると、第一のアークホーンと第二のアークホーンの先端部同士も次第に離れていく。
【００１０】
そして、図１３に示すように、耐張クランプを介してジャンパー線Ｊを地面と並行となるように移動させると、第一のアークホーンと第二のアークホーンの先端部同士も著しく離れた状態となり、第一のアークホーンと第二のアークホーンが、直線状に向かい合った状態を維持できない事態が生じている。
【００１１】
このような事態は、特許文献１に示す送電線用支持装置においても同様に生じる。
【００１２】
すなわち、ジャンパー線Ｊを支持している耐張クランプＫを鉄塔の横側水平方向に回動させた場合、鉄塔側に位置する第一のアークホーンＨ１は、アークホーンＨ１が上を向いている元の取り付け状態をほぼ維持するものであるが、第二のアークホーンＨ２に捻れモーメントが働き、アークホーンＨ２がそれに伴って横方向に倒れるように移動する。
【００１３】
このアークホーンＨ２の横方向への移動は、碍子Ｇの存在により許容されるものである。
【００１４】
尚、第一のアークホーンＨ１は、取付金具を介して鉄等側に固定されるため、アークホーンＨ２のように碍子Ｇを介して横方向へ移動することがなく、アークホーンＨ１が上を向いている元の状態をほぼ維持するのである
【００１５】
そして、ジャンパー線Ｊと、第一のアークホーンＨ１・第二のアークホーンＨのそれぞれが垂直線上に一致しないものとなる。
【００１６】
その結果、図１３に示すように、第一のアークホーントと第二のアークホーンが、直線状に向かい合った状態を維持できない事態が生じ、両アークホーンＨ１，Ｈ２間の気中放電ギャップが適正な状態に確保できなくなるのである。
【００１７】
また、特許文献２に開示されている捩れ防止装置を使用したり、あるいは市販のバンド状のアークホーンに取り替えるか、さらには捩れ角度を考慮して規定の放電ギャップを確保するために、専用の角度固定金具を介挿したりして対応策を図っていたが、上記した捩れ防止装置、あるいはバンド金具状のものや専用の角度固定金具等はこれらの捩れ箇所での使用に限られるため、製作コストが高くなる。
【００１８】
しかも、アークホーンの捩れ角度が予め定められていないため、現場での微調整が困難なものとなり、適正な両アークホーン間の気中放電ギャップが所定の設定値から外れることが多い等の種々の問題点を有していた。
【００１９】
そこで、本発明は如上のような従来存した諸事情に鑑み創出されたもので、ジャンパー線の吊り下げ部分両端を支持する耐張クランプを、鉄塔の横側水平方向に回動させた場合であっても、第一のアークホーントと第二のアークホーンが直線状に向かい合った状態を維持して、両アークホーン間の適正な気中放電ギャップを常時確保することができるアークホーン取付金具の角度調整装置と、アークホーン取付金具の角度調整方法を提供することを目的とする。
【課題を解決するための手段】
【００２０】
本発明に係るアークホーン取付金具の角度調整装置は、鉄塔における碍子の鉄塔側端に第一のアークホーンを有し、また、碍子の他端側に第二のアークホーンを有し、第二のアークホーン側にジャンパー線を支持する耐張クランプを備え、耐張クランプと第二のアークホーンの取付金具との間に、角度調整機構を備えたことで、上述した課題を解決した。
【００２１】
また、第一のアークホーンと第二のアークホーンがそれぞれ碍子の長手方向内側へ延長されて、延長端に所定の気中放電ギャップを形成していることで、同じく上述した課題を解決した。
【００２２】
さらに、角度調整機構は、第二のアークホーンの取付金具に対し、耐張クランプ側が任意の回動位置で固定可能であることで、同じく上述した課題を解決した。
【００２３】
また、角度調整機構は、第一のアークホーンと第二のアークホーンが、直線状に向かい合った状態を維持させることで、同じく上述した課題を解決した。
【００２４】
加えて、角度調整機構は、全体として１８０度の角度調整が可能であることで、同じく上述した課題を解決した。
【００２５】
また、角度調整機構は、第二のアークホーンの取付金具側に備え付けられたアークホーン側円板と、第二のアークホーンの耐張クランプ側に備え付けられた耐張クランプ側円板と、両円板を締結固定するボルト・ナットとから成ることで、同じく上述した課題を解決した。
【００２６】
この他、角度調整機構を構成するアークホーン側円板は、円板の円周に沿って複数のボルト挿通孔を有し、耐張クランプ側円板は、アークホーン側円板のボルト挿通孔に対向して円周に沿った対称位置に、円弧状長孔である一対の自由孔を有していることで、同じく上述した課題を解決した。
【００２７】
また、鉄塔と送電線間に張設された状態で送電線を支持する碍子装置を備え、この碍子装置は、碍子の鉄塔側端に第一のアークホーンを有し、また、碍子の他端側に第二のアークホーンを有し、第一のアークホーンと第二のアークホーンがそれぞれ碍子の長手方向内側へ延長されて延長端に所定の気中放電ギャップを形成すると共に、ジャンパー線の吊り下げ部分を支持するように第二のアークホーン側に耐張クランプを備え、第二のアークホーンの取付金具に対し耐張クランプ側が任意の回動位置で固定可能となるよう、耐張クランプと第二のアークホーンの取付金具との間に、角度調整機構を備えたことで、同じく上述した課題を解決した。
【００２８】
さらに、鉄塔と送電線間に張設された状態で送電線を支持する一対の碍子装置を備え、一対の碍子装置は、碍子の鉄塔側端に第一のアークホーンを有し、また、碍子の送電線側端に第二のアークホーンを有し、第一のアークホーンと第二のアークホーンがそれぞれ碍子の長手方向内側へ延長されて延長端に所定の気中放電ギャップを形成すると共に、送電線の支持両端部間に形成されるジャンパー線の吊り下げ部分両端を支持するように第二のアークホーン側に耐張クランプを備え、第二のアークホーンの取付金具に対し耐張クランプ側が任意の回動位置で固定可能となるよう、耐張クランプと第二のアークホーンの取付金具との間に、角度調整機構を備えたことで、同じく上述した課題を解決した。
【００２９】
また、角度調整機構は、若干湾曲した状態のジャンパー線を耐張クランプを介して地面と並行となるように移動させたとき、第一のアークホーンと第二のアークホーンが、直線状に向かい合った状態を維持することができることで、同じく上述した課題を解決した。
【００３０】
一方、本発明に係るアークホーン取付金具の角度調整方法は、既設の碍子装置の碍子、第二のアークホーンの既設の取付金具、耐張クランプのそれぞれを取り外す工程と、既設の取付金具に替えて、角度調整機構を備えた耐張クランプ側円板とアークホーン側円板を取り付けてボルト・ナットで仮止め状態にする工程と、アークホーン側円板に対し耐張クランプ側円板を回転させて、若干湾曲した状態のジャンパー線が地面と並行となるように耐張クランプ側円板を回動させた後、ボルト・ナットで本締めする工程と、から成ることで、同じく上述した課題を解決した。
【００３１】
また、第一のアークホーンと第二のアークホーンは、直線状に向かい合った状態を維持していることで、同じく上述した課題を解決した。
【００３２】
さらに、角度調整機構は、全体として１８０度の角度調整が可能であることで、同じく上述した課題を解決した。
【発明の効果】
【００３３】
本発明に係るアークホーン取付金具の角度調整装置は、鉄塔における碍子の鉄塔側端に第一のアークホーンを有し、また、碍子の他端側に第二のアークホーンを有し、第二のアークホーン側にジャンパー線を支持する耐張クランプを備え、耐張クランプと第二のアークホーンの取付金具との間に、角度調整機構を備えたことから、ジャンパー線の吊り下げ部分両端を支持する耐張クランプを、鉄塔の横側水平方向に回動させた場合であっても、第一のアークホーントと第二のアークホーンが直線状に向かい合った状態を維持して、両アークホーン間の適正な気中放電ギャップを常時確保することができる。
【００３４】
また、本発明によれば、碍子の横吊り機構・縦吊り機構を問うことなく、全ての碍子構成において、第一のアークホーンと第二のアークホーンが直線状に向かい合った状態を維持することができる。
【００３５】
さらに、第一のアークホーンと第二のアークホーンがそれぞれ碍子の長手方向内側へ延長されて、延長端に所定の気中放電ギャップを形成していることから、雷害で発生するアーク放電により碍子が損傷する事態の発生を阻止している。
【００３６】
そして、従来においては、ジャンパー線を支持している耐張クランプを鉄塔の横側水平方向に回動させた場合、取付金具等を介して鉄等側に固定されている第一のアークホーンは元の状態をほぼ維持するのに対し、第二のアークホーンには捻れモーメントが働き、碍子が存在することとも相俟って、第二のアークホーンは横方向に倒れるように移動していく。
【００３７】
このような状況において、本発明に係る角度調整機構は、第二のアークホーンの取付金具に対し、耐張クランプ側が任意の回動位置で固定可能であることから、第二のアークホーンも元の状態を保ちながら、耐張クランプだけを回動させることで、第一のアークホーンと第二のアークホーンが直線状に向かい合った状態を維持させているのである。
【００３８】
加えて、角度調整機構は、全体として１８０度の角度調整が可能であることから、若干湾曲した状態のジャンパー線を耐張クランプを介してどのような角度に傾けた場合であっても、第一のアークホーンと第二のアークホーンが直線状に向かい合った状態を維持し、両アークホーン間の適正な気中放電ギャップを常時確保することができる。
【００３９】
また、角度調整機構は、第二のアークホーンの取付金具側に備え付けられたアークホーン側円板と、第二のアークホーンの耐張クランプ側に備え付けられた耐張クランプ側円板と、両円板を締結固定するボルト・ナットとから成ることから、アークホーン側円板に対して耐張クランプ側円板を所定の角度で当接させ、その状態で両円板をボルト・ナットにより固定することができる。
【００４０】
この他、角度調整機構を構成するアークホーン側円板は、円板の円周に沿って複数のボルト挿通孔を有し、耐張クランプ側円板は、アークホーン側円板のボルト挿通孔に対向して円周に沿った対称位置に、円弧状長孔である一対の自由孔を有していることから、アークホーン側円板のボルト挿通孔に、耐張クランプ側円板の円弧状長孔である一対の自由孔を合致させ、両円板をボルト・ナットにより様々な角度に固定することができる。
【００４１】
また、鉄塔と送電線間に張設された状態で送電線を支持する碍子装置を備え、この碍子装置は、碍子の鉄塔側端に第一のアークホーンを有し、また、碍子の他端側に第二のアークホーンを有し、第一のアークホーンと第二のアークホーンがそれぞれ碍子の長手方向内側へ延長されて延長端に所定の気中放電ギャップを形成すると共に、ジャンパー線の吊り下げ部分を支持するように第二のアークホーン側に耐張クランプを備え、第二のアークホーンの取付金具に対し耐張クランプ側が任意の回動位置で固定可能となるよう、耐張クランプと第二のアークホーンの取付金具との間に、角度調整機構を備えたことから、ジャンパー線を吊り下げている耐張クランプを鉄塔の横側水平方向に回動させた場合であっても、第一のアークホーンと第二のアークホーンが直線状に向かい合った状態を維持することができる。
【００４２】
さらに、鉄塔と送電線間に張設された状態で送電線を支持する一対の碍子装置を備え、一対の碍子装置は、碍子の鉄塔側端に第一のアークホーンを有し、また、碍子の送電線側端に第二のアークホーンを有し、第一のアークホーンと第二のアークホーンがそれぞれ碍子の長手方向内側へ延長されて延長端に所定の気中放電ギャップを形成すると共に、送電線の支持両端部間に形成されるジャンパー線の吊り下げ部分両端を支持するように第二のアークホーン側に耐張クランプを備え、第二のアークホーンの取付金具に対し耐張クランプ側が任意の回動位置で固定可能となるよう、耐張クランプと第二のアークホーンの取付金具との間に、角度調整機構を備えたことから、特に、碍子の横吊り機構において、第一のアークホーンと第二のアークホーンが直線状に向かい合った状態を維持することができる。
【００４３】
一方、本発明に係るアークホーン取付金具の角度調整方法は、既設の碍子装置の碍子、第二のアークホーンの既設の取付金具、耐張クランプのそれぞれを取り外す工程と、既設の取付金具に替えて、角度調整機構を備えた耐張クランプ側円板とアークホーン側円板を取り付けてボルト・ナットで仮止め状態にする工程と、アークホーン側円板に対し耐張クランプ側円板を回転させて、若干湾曲した状態のジャンパー線が地面と並行となるように耐張クランプ側円板を回動させた後、ボルト・ナットで本締めする工程と、から成ることから、若干湾曲した状態のジャンパー線を耐張クランプを介して地面と並行となるように移動させた場合であっても、第一のアークホーントと第二のアークホーンが、直線状に向かい合った状態を、簡単な手順により維持することができる。
【００４４】
その結果、両アークホーン間の適正な気中放電ギャップを、このような簡単な手順により確保することができるのである。
【発明を実施するための最良の形態】
【００４５】
以下に、本発明を実施するための最良の形態を、図面を参照して説明する。
【００４６】
本発明に係るアークホーン取付金具の角度調整機構Ｐは、鉄塔と送電線間に張設された状態で送電線を支持する耐熱性絶縁体による碍子装置を備えた送電線用支持装置に使用されるものである。
【００４７】
尚、碍子装置は、図９に示すような横吊り機構、また、図１０に示すような、変電所等に見られる縦吊り機構のいずれをも包含するものである。
【００４８】
そして、一対の碍子装置は、図１・図９に示すように、落雷等の電撃から碍子Ｇを保護するために、碍子Ｇの鉄塔側端に第一のアークホーンＨ１を、また、碍子Ｇの送電線側端に第二のアークホーンＨ２を、それぞれ後述する取付金具Ｑを介して連結している。
【００４９】
この第一のアークホーンＨ１と第二のアークホーンＨ２は、それぞれ碍子Ｇの長手方向内側へ延長されて、延長端に所定の気中放電ギャップを形成している。
【００５０】
また、送電線の支持両端部間に形成されるジャンパー線Ｊの吊り下げ部分両端を支持するために、第二のアークホーンＨ２側には、耐張クランプＫを備えている。
【００５１】
即ち、図５に示すように、送電線の支持両端部間に形成されるジャンパー線Ｊの吊り下げ部分両端を支持するように第二のアークホーンＨ２側に耐張クランプＫを備え、第二のアークホーンＨ２の取付金具Ｑに対し耐張クランプＫ側が任意の回動位置で固定可能となるよう、耐張クランプＫと第二のアークホーンＨ２の取付金具Ｑとの間に、角度調整機構Ｐを備えている。
【００５２】
この角度調整機構Ｐは、図７・図８に示すように、若干湾曲した状態のジャンパー線Ｊを耐張クランプＫを介して地面と並行となるように移動させたとき、第一のアークホーンＨ１と第二のアークホーンＨ２が、直線状に向かい合った状態を維持することができるものである。
【００５３】
具体的には、角度調整機構Ｐは、図５・図６に示すように、ジャンパー線Ｊとなる送電線の一端を円弧状に沿って保持するための略三角形枠状の耐張クランプＫと、第二のアークホーンＨ２が上端に接続され且つ中央に碍子Ｇに連結されるヒンジ孔部Ｑ１を有して成る略Ｔ字形板状の取付金具Ｑの間に配されている。
【００５４】
また、角度調整機構Ｐは、図６に示すように、第二のアークホーンＨ２の取付金具Ｑ側に備え付けられたアークホーン側円板１と、第二のアークホーンＨ２の耐張クランプＫ側に備え付けられた耐張クランプ側円板１１と、両円板を締結固定するボルトＶ・ナットＮとから成る。
【００５５】
そして、図７・図８に示すように、第二のアークホーンＨ２の取付金具Ｑに対し、耐張クランプＫ側が、任意の回動位置でボルトＶ・ナットＮを介して仮締め固定されるのである。
【００５６】
具体的には、図３（ａ）に示すように、角度調整機構Ｐにおけるアークホーン側円板１には、円板の円周に沿って複数のボルト挿通孔２を穿設している。また、アークホーン側円板１には、図３（ｂ）（ｃ）に示すように、その一端面中央に、第二のアークホーンＨ２が接続される、略Ｔ字形板状の取付金具Ｑの中央部分を溶接により固定している。
【００５７】
すなわち、アークホーン側円板１には、取付金具Ｑの平面方向に対応した平面の対角線を基準として、４５度等間隔毎に配された３つの対角線上に、それぞれ一対のボルト挿通孔２が形成されている。
【００５８】
これにより、取付金具Ｑの平面方向に対応した側平面の対角線を介して上下対称位置には、円周方向に沿って４５度の間隔でそれぞれ３つのボルト挿通孔２が形成されるものとなる。
【００５９】
一方、図４（ａ）に示すように、耐張クランプ側円板１１の平面には、円周に沿った略円弧状長孔である一対の自由孔１２が、対角線上に一対（１８０度対称位置）となって穿設されている。この自由孔１２は、アークホーン側円板１のボルト挿通孔２に対向して配されている。
【００６０】
また、図４（ｂ）（ｃ）に示すように、耐張クランプ側円板１１の一端面中央には、耐張クランプＫを連結するためのヒンジ孔部１３を備えている。
【００６１】
そして、図２（ａ）に示すように、耐張クランプ側円板１１の両自由孔１２側から、アークホーン側円板１の対角線上にあるいずれか一対のボルト挿通孔２のそれぞれにボルトＶが挿通され、反対側からナットＮで締結することにより、図２（ｂ）に示すように、耐両円板１，１１が接合した状態で固定されるのである。
【００６２】
このとき、耐張クランプ側円板１１とアークホーン側円板１を接合した状態では、左右６０度調整できる３つのボルト挿通孔２を利用して、全体として１８０度の角度調整が可能となる。
【００６３】
次に、以上のように構成された本発明の最良の形態について、組立・使用・動作の一例を説明する。
【００６４】
先ず、既設の碍子装置の碍子Ｇから、第二のアークホーンＨ２の既設の取付金具Ｑを外し、さらに、この第二のアークホーンＨ２の既設の取付金具Ｑを耐張クランプＫから外す。
【００６５】
そして、図６に示すように、既設の取付金具Ｑに替えて、角度調整機構Pを備えた耐張クランプ側円板１１とアークホーン側円板１を取り付けて、ボルトＶ・ナットＮで仮止め状態にする。
【００６６】
そして、アークホーン側円板１に溶接固定された取付金具Ｑの一端に、第二のアークホーンＨ２が備え付けられ、取付金具Ｑの中央のヒンジ孔部Ｑ１に碍子Ｇのコ字枠状のヒンジＱ２を連結してボルトＶで固定する。
【００６７】
一方、角度調整機構Ｐの耐張クランプ側円板１１におけるヒンジ孔部１３に耐張クランプＫのコ字枠状のヒンジＫ１を連結してボルトＶで固定する。
【００６８】
そして、両円板１，１１を接合させて各一対のボルト挿通孔２および自由孔１２にボルトＶを挿入し反対側からナットＮで若干緩めに締め付けておくことで仮止め状態にしておく。
【００６９】
次いで、図７に示すように、アークホーン側円板１に対し耐張クランプ側円板１１を回転させて、若干湾曲した状態のジャンパー線Ｊが地面と並行となるようにする。
【００７０】
そして、第一のアークホーンＨ１と第二のアークホーンＨ２は、直線状に向かい合った状態を維持していることを確認してから、図８に示すように、ボルト挿通孔２および自由孔１２に挿入されたボルトＶに対してナットＮを本締めする。
【００７１】
こうして、ジャンパー線Ｊの吊り下げ部分両端を支持する耐張クランプＫを鉄塔の横側水平方向に回動させた場合であっても、第一のアークホーンＨ１と第二のアークホーンＨ２は、直線状に向かい合った状態を維持していることから、規定の気中放電ギャップが常に確保されるのである。
【産業上の利用可能性】
【００７２】
本発明に係るアークホーン取付金具の角度調整装置と、アークホーン取付金具の角度調整方法は、鉄塔上で送電線を支持する碍子に一対のアークホーンを設けて成る送電線用支持装置の他に、種々の装置における角度調整装置および角度調整方法として、幅広く利用することができる。
【図面の簡単な説明】
【００７３】
【図１】ジャンパー線を支持する耐張クランプを鉄塔の横側水平方向に回動させた場合において、第一のアークホーンと第二のアークホーンが、直線状に向かい合った状態を維持している状態を示す斜視図である。
【図２】角度調整機構の構成を示すもので、（ａ）はアークホーン側円板に耐張クランプ側円板を当接させてボルト・ナットにより固定する状態を示す分解斜視図、（ｂ）はアークホーン側円板に耐張クランプ側円板を固定した状態の斜視図である。
【図３】アークホーン側円板の構成を示すもので、（ａ）は斜視図、（ｂ）は側面図、（ｃ）は平面図である。
【図４】耐張クランプ側円板の構成を示すもので、（ａ）は斜視図、（ｂ）は側面図、（ｃ）は平面図である。
【図５】ジャンパー線が垂下されている状態において、第一のアークホーンと第二のアークホーンが、直線状に向かい合った状態を維持している状態を示す斜視図である。
【図６】ジャンパー線が垂下されている状態において、第一のアークホーンと第二のアークホーンが、直線状に向かい合った状態を維持している状態を示す分解斜視図である。
【図７】ジャンパー線を支持する耐張クランプを鉄塔の横側水平方向に回動させた場合において、第一のアークホーンと第二のアークホーンが、直線状に向かい合った状態を維持している状態を示す分解斜視図である。
【図８】ジャンパー線を支持する耐張クランプを鉄塔の横側水平方向に回動させた場合において、第一のアークホーンと第二のアークホーンが、直線状に向かい合った状態を維持している状態を示す斜視図である。
【図９】横吊り機構である一対の碍子装置に、角度調整機構の構成を加えた状態を示す斜視図である。
【図１０】縦吊り機構である単独の碍子装置に、角度調整機構の構成を加えた状態を示す斜視図である。
【図１１】従来例におけるアークホーン取付金具の使用状態を示すもので、ジャンパー線が垂下されている状態において、第一のアークホーンと第二のアークホーンが、直線状に向かい合った状態を示す斜視図である。
【図１２】従来例におけるアークホーン取付金具の使用状態を示すもので、ジャンパー線を支持する耐張クランプを鉄塔の横側水平方向に若干回動させた場合において、第二のアークホーンが横方向に若干倒れるように傾いた状態(第一のアークホーンと第二のアークホーンが、直線状に向かい合っていない状態)を示す斜視図である。
【図１３】従来例におけるアークホーン取付金具の使用状態を示すもので、ジャンパー線を支持する耐張クランプを鉄塔の横側水平方向に回動させた場合において、第二のアークホーンが横方向に倒れるように傾いた状態(第一のアークホーンと第二のアークホーンが、直線状に向かい合っていない状態)を示す斜視図である。
【符号の説明】
【００７４】
Ｐ…角度調整機構
Ｑ…取付金具
Ｑ１…ヒンジ孔部
Ｑ２…ヒンジ
Ｊ…ジャンパー線
Ｇ…碍子
Ｋ…耐張クランプ
Ｋ１…ヒンジ
Ｈ１…第一のアークホーン
Ｈ２…第二のアークホーン
Ｖ…ボルト
Ｎ…ナット
１…アークホーン側円板
２…ボルト挿通孔
１１…耐張クランプ側円板
１２…自由孔
１３…ヒンジ孔部
【図１】
2008218257.tif 000003
【図２】
2008218257.tif 000004
【図３】
2008218257.tif 000005
【図４】
2008218257.tif 000006
【図５】
2008218257.tif 000007
【図６】
2008218257.tif 000008
【図７】
2008218257.tif 000009
【図８】
2008218257.tif 000010
【図９】
2008218257.tif 000011
【図１０】
2008218257.tif 000012
【図１１】
2008218257.tif 000013
【図１２】
2008218257.tif 000014
【図１３】
2008218257.tif 000015